(57)【要約】      （修正有）【課題】番組の放送種別にかかわらず、番組表から選択された番組をテレビ受信機に表示させる、受信システムを提供する。【解決手段】受信装置１は、リモコンと無線通信を行う無線通信部１３と、受信装置１が受信する第１放送信号に対応する第１情報と、第２受信装置が受信する第２放送信号に対応する第２情報とをテレビ受信機に表示させ、無線通信部１３が受信する操作情報が第１情報に対応している場合に、テレビ受信機に第１情報に対応する映像を表示させる表示制御部１５４と、受信する操作情報が第２情報に対応している場合に、第２受信装置が第２情報に対応する映像をテレビ受信機に表示させるための指示情報を無線通信部１３に送信させる第２送信制御部１５６とを有する。リモコンは、無線通信部に操作情報を送信させ、当該操作情報の送信後に、無線通信部が指示情報を受信すると、発信部に当該指示情報を発信させる第１送信制御部を有する。【選択図】図２
2018093260.tif 000002
【特許請求の範囲】
【請求項１】
テレビ受信機に接続され、放送信号を受信する受信装置と、前記受信装置のリモートコントローラとを備える受信システムであって、
前記リモートコントローラは、
ユーザから操作を受け付ける操作部と、
前記受信装置と無線通信を行う第１通信部と、
前記受信装置が受信しない放送信号を受信する第２受信装置が受信可能な形式で情報を発信する発信部と、
前記操作部による操作を受け付けると、前記第１通信部に当該操作を示す操作情報を送信させる第１送信制御部とを有し、
前記受信装置は、
前記リモートコントローラと無線通信を行う第２通信部と、
前記受信装置が受信する第１放送信号に対応する第１情報と、前記第２受信装置が受信する第２放送信号に対応する第２情報とを前記テレビ受信機に表示させ、前記第２通信部が受信する前記操作情報が前記第１情報に対応している場合に、前記テレビ受信機に前記第１情報に対応する映像を表示させる表示制御部と、
前記第２通信部が受信する前記操作情報が前記第２情報に対応している場合に、前記第２受信装置が前記第２情報に対応する映像を前記テレビ受信機に表示させるための指示情報を前記第２通信部に送信させる第２送信制御部とを有し、
前記第１送信制御部は、前記操作情報の送信後に、前記第１通信部が前記指示情報を受信すると、前記発信部に当該指示情報を発信させる、
受信システム。
【請求項２】
前記表示制御部は、前記受信装置が受信する放送信号に対応する番組の情報と、前記受信装置が受信しない放送信号に対応する番組の情報とを前記テレビ受信機に表示させ、
前記受信装置は、
前記第２通信部が前記リモートコントローラから受信する前記操作情報に基づいて、前記番組の情報のいずれかに含まれる番組を選択する選択部と、
選択された前記番組が、前記第２放送信号に対応する番組である場合に、前記テレビ受信機に当該番組に対応する映像を表示させるための前記指示情報を特定する特定部とを有し、
前記第２送信制御部は、特定された前記指示情報を前記第２通信部に送信させる、
請求項１に記載の受信システム。
【請求項３】
前記受信装置は、前記テレビ受信機又は前記第２受信装置を識別する機器識別情報を取得する第３取得部を有し、
前記特定部は、選択された前記番組が、前記受信装置が受信しない放送信号に対応する番組である場合に、当該番組に対応するチャンネルを識別するチャンネル識別情報と、取得された前記機器識別情報に基づいて前記指示情報を特定する、
請求項２に記載の受信システム。
【請求項４】
前記特定部は、前記チャンネル識別情報と、前記機器識別情報と、前記指示情報とを関連付けて記憶する外部サーバに前記チャンネル識別情報と、前記機器識別情報を送信し、当該外部サーバから前記チャンネル識別情報と、前記機器識別情報とに関連付けられている前記指示情報を受信することにより、前記指示情報を特定する、
請求項３に記載の受信システム。
【請求項５】
前記受信装置は、前記第２通信部が前記指示情報を送信した後に、前記テレビ受信機から、前記テレビ受信機に表示されている画面の状態を示す情報を取得する第３取得部を有し、
前記第２送信制御部は、前記画面の状態が、前記受信装置によって画面が表示されている第１状態を示している場合に、前記第２通信部に前記指示情報を再送させる、
請求項２から４のいずれか１項に記載の受信システム。
【請求項６】
前記表示制御部は、前記第２送信制御部が前記指示情報を送信した後に、前記画面の状態が前記第１状態を示している場合に、前記テレビ受信機が前記指示情報を受信していない旨を示す情報を前記テレビ受信機に表示させる、
請求項５に記載の受信システム。
【請求項７】
テレビ受信機に接続され、放送信号を受信する受信装置と、前記受信装置のリモートコントローラとを備える受信システムにおいて前記テレビ受信機に番組を表示させる番組表示方法であって、
前記受信装置が、前記受信装置が受信する第１放送信号に対応する第１情報と、前記受信装置が受信しない放送信号を受信する第２受信装置が受信する第２放送信号に対応する第２情報とを前記テレビ受信機に表示させるステップと、
前記リモートコントローラが、前記受信装置に操作情報を送信するステップと、
前記受信装置が、前記リモートコントローラから受信する操作情報が前記第１情報に対応している場合に、前記テレビ受信機に前記第１情報に対応する映像を表示させるステップと、
前記受信装置が、前記リモートコントローラから受信する前記操作情報が前記第２情報に対応している場合に、前記第２受信装置が前記第２情報に対応する映像を前記テレビ受信機に表示させるための指示情報を前記リモートコントローラに送信するステップと、
前記リモートコントローラが、前記受信装置に前記操作情報を送信した後に、前記指示情報を受信すると、前記第２受信装置が受信可能な形式で当該指示情報を発信させるステップと、
を有する番組表示方法。
【発明の詳細な説明】
【技術分野】
【０００１】
本発明は、受信システム及び番組表示方法に関する。
【背景技術】
【０００２】
ケーブルテレビでは、地上デジタル放送、ＢＳ放送、ＣＳ放送等の様々な放送の信号を受信可能な受信装置であるセットトップボックス（STB：Set Top Box）がユーザに貸与される（例えば、特許文献１参照）。ＳＴＢは、テレビ受信機に接続した状態において、ユーザからリモートコントローラ（以下、リモコンともいう。）を介して操作を受け付けることにより、様々な番組や番組表をテレビ受信機に表示させることができる。
【先行技術文献】
【特許文献】
【０００３】
【特許文献１】特開２０１５−７０５３８号公報
【発明の概要】
【発明が解決しようとする課題】
【０００４】
ところで、４Ｋ・８Ｋ放送といった、従来のＳＴＢでは対応していない放送が開始されている。このような放送に対応する番組表をユーザが確認するには、テレビ受信機のリモコンを操作する必要がある。したがって、ユーザは、地上デジタル放送、ＢＳ放送、ＣＳ放送等の様々な放送の番組表を確認する場合には、ＳＴＢのリモコンを操作し、４Ｋ・８Ｋ放送の番組表を確認する場合には、テレビ受信機のリモコンを操作することになり、ユーザの操作が煩雑になるという問題があった。
【０００５】
このような問題に対して、ＳＴＢが、通信ネットワークを介して接続されるサーバ等から４Ｋ・８Ｋ放送の番組表を取得し、当該番組表と、ＳＴＢが受信する放送信号から取得可能な番組表とを統合した統合番組表をテレビ受信機に表示させることが考えられる。
【０００６】
統合番組表において、ＳＴＢが従来から取得可能な番組が選択された場合、ＳＴＢは当該番組に対応する放送信号に基づいて、当該番組をテレビ受信機に表示させることができる。しかしながら、統合番組表において、４Ｋ・８Ｋ放送に対応する番組が選択されると、ＳＴＢは当該番組に対応する放送信号を受信できないことから、当該番組をテレビ受信機に表示させることができないという問題が発生する。
【０００７】
そこで、本発明はこれらの点に鑑みてなされたものであり、番組の放送種別にかかわらず、番組表から選択された番組をテレビ受信機に表示させることができる受信システム及び番組表示方法を提供することを目的とする。
【課題を解決するための手段】
【０００８】
本発明の第１の態様に係る受信システムは、テレビ受信機に接続され、放送信号を受信する受信装置と、前記受信装置のリモートコントローラとを備える受信システムであって、前記リモートコントローラは、ユーザから操作を受け付ける操作部と、前記受信装置と無線通信を行う第１通信部と、前記受信装置が受信しない放送信号を受信する第２受信装置が受信可能な形式で情報を発信する発信部と、前記操作部による操作を受け付けると、前記第１通信部に当該操作を示す操作情報を送信させる第１送信制御部とを有し、前記受信装置は、前記リモートコントローラと無線通信を行う第２通信部と、前記受信装置が受信する第１放送信号に対応する第１情報と、前記第２受信装置が受信する第２放送信号に対応する第２情報とを前記テレビ受信機に表示させ、前記第２通信部が受信する前記操作情報が前記第１情報に対応している場合に、前記テレビ受信機に前記第１情報に対応する映像を表示させる表示制御部と、前記第２通信部が受信する前記操作情報が前記第２情報に対応している場合に、前記第２受信装置が前記第２情報に対応する映像を前記テレビ受信機に表示させるための指示情報を前記第２通信部に送信させる第２送信制御部とを有し、前記第１送信制御部は、前記操作情報の送信後に、前記第１通信部が前記指示情報を受信すると、前記発信部に当該指示情報を発信させる。
【０００９】
前記表示制御部は、前記受信装置が受信する放送信号に対応する番組の情報と、前記受信装置が受信しない放送信号に対応する番組の情報とを前記テレビ受信機に表示させ、前記受信装置は、前記第２通信部が前記リモートコントローラから受信する前記操作情報に基づいて、前記番組の情報のいずれかに含まれる番組を選択する選択部と、選択された前記番組が、前記第２放送信号に対応する番組である場合に、前記テレビ受信機に当該番組に対応する映像を表示させるための前記指示情報を特定する特定部とを有し、前記第２送信制御部は、特定された前記指示情報を前記第２通信部に送信させてもよい。
【００１０】
前記受信装置は、前記テレビ受信機又は前記第２受信装置を識別する機器識別情報を取得する第３取得部を有し、前記特定部は、選択された前記番組が、前記受信装置が受信しない放送信号に対応する番組である場合に、当該番組に対応するチャンネルを識別するチャンネル識別情報と、取得された前記機器識別情報に基づいて前記指示情報を特定してもよい。
【００１１】
前記特定部は、前記チャンネル識別情報と、前記機器識別情報と、前記指示情報とを関連付けて記憶する外部サーバに前記チャンネル識別情報と、前記機器識別情報を送信し、当該外部サーバから前記チャンネル識別情報と、前記機器識別情報とに関連付けられている前記指示情報を受信することにより、前記指示情報を特定してもよい。
【００１２】
前記受信装置は、前記第２通信部が前記指示情報を送信した後に、前記テレビ受信機から、前記テレビ受信機に表示されている画面の状態を示す情報を取得する第３取得部を有し、前記第２送信制御部は、前記画面の状態が、前記受信装置によって画面が表示されている第１状態を示している場合に、前記第２通信部に前記指示情報を再送させてもよい。
【００１３】
前記表示制御部は、前記第２送信制御部が前記指示情報を送信した後に、前記画面の状態が前記第１状態を示している場合に、前記テレビ受信機が前記指示情報を受信していない旨を示す情報を前記テレビ受信機に表示させてもよい。
【００１４】
本発明の第２の態様に係る番組表示方法は、テレビ受信機に接続され、放送信号を受信する受信装置と、前記受信装置のリモートコントローラとを備える受信システムにおいて前記テレビ受信機に番組を表示させる番組表示方法であって、前記受信装置が、前記受信装置が受信する第１放送信号に対応する第１情報と、前記受信装置が受信しない放送信号を受信する第２受信装置が受信する第２放送信号に対応する第２情報とを前記テレビ受信機に表示させるステップと、前記リモートコントローラが、前記受信装置に操作情報を送信するステップと、前記受信装置が、前記リモートコントローラから受信する操作情報が前記第１情報に対応している場合に、前記テレビ受信機に前記第１情報に対応する映像を表示させるステップと、前記受信装置が、前記リモートコントローラから受信する前記操作情報が前記第２情報に対応している場合に、前記第２受信装置が前記第２情報に対応する映像を前記テレビ受信機に表示させるための指示情報を前記リモートコントローラに送信するステップと、前記リモートコントローラが、前記受信装置に前記操作情報を送信した後に、前記指示情報を受信すると、前記第２受信装置が受信可能な形式で当該指示情報を発信させるステップと、を有する。
【発明の効果】
【００１５】
本発明によれば、番組の放送種別にかかわらず、番組表から選択された番組をテレビ受信機に表示させることができるという効果を奏する。
【図面の簡単な説明】
【００１６】
【図１】第１実施形態に係る受信システムの概要を示す図である。
【図２】第１実施形態に係る受信装置の構成を示す図である。
【図３】第１実施形態に係るリモコンの構成を示す図である。
【図４】第１実施形態に係る操作部の詳細な構成を示す図である。
【図５】第１実施形態に係る受信システムにおける初期設定に係る処理の流れを示すシーケンス図である。
【図６】第１実施形態に係る４Ｋボタンが操作された場合のリモコンの処理の流れを示すフローチャートである。
【図７】第１実施形態に係るリモコンがテレビ操作モードで動作する場合の処理の流れを示すフローチャートである。
【図８】第１実施形態に係る受信装置における番組表の生成に係る処理の流れを示すフローチャートである。
【図９】第１実施形態に係る受信装置及びリモコンにおける統合番組表の操作に係る処理の流れを示すシーケンス図である。
【図１０】第２実施形態に係る受信システムにおける初期設定に係る処理の流れを示すシーケンス図である。
【発明を実施するための形態】
【００１７】
以下、本発明の実施形態について説明する。
＜第１実施形態＞
［受信システムＳの概要］
図１は、第１実施形態に係る受信システムＳの概要を示す図である。受信システムＳは、放送信号を受信する受信装置１と、受信装置１のリモートコントローラとしてのリモコン２とを備え、放送信号に対応する映像及び音声をテレビ受信機４に表示させるためのシステムである。
【００１８】
受信装置１は、例えば、ケーブルテレビ用のセットトップボックス（ＳＴＢ）である。受信装置１は、同軸ケーブルＣＣを介して分波器３に接続されているとともに、ＨＤＭＩ（High-Definition Multimedia Interface）（登録商標）ケーブルＨＣを介してテレビ受信機４に接続されている。分波器３は、ケーブルテレビ放送局から有線により放送信号を受信し、受信装置１が受信可能な第１周波数帯の放送信号を受信装置１に出力するとともに、受信装置１が受信しない第２周波数帯の放送信号をテレビ受信機４に出力する。
【００１９】
ここで、第１周波数帯の放送信号は、例えば、ＣＡＴＶ有料放送に対応する放送信号である。また、第２周波数帯の放送信号は、例えば、４Ｋ放送に対応する放送信号である。なお、以下の説明では、第１周波数帯の放送信号を第１放送信号、第２周波数帯の放送信号を第２放送信号という。また、第１実施形態では、第２周波数帯の放送信号が、４Ｋ放送に対応する放送信号であることとしたが、これに限らず、８Ｋ放送に対応する放送信号や、テレビ受信機でのみ受信可能なＩＰＴＶ信号、ＶＯＤ（Video On Demand）サービスであってもよい。
【００２０】
受信装置１は、分波器３を介して、自身が受信可能な第１放送信号を受信し、当該第１放送信号に対応する映像信号及び音声信号をテレビ受信機４に出力する。また、受信装置１は、第１放送信号に含まれる、第１放送信号に対応する番組の番組表である第１番組表（第１番組情報）を取得する。受信装置１は、通信ネットワークＮを介して番組表を提供する番組表サーバ５に接続されており、番組表サーバ５から、第２放送信号に対応する番組の番組表である第２番組表（第２番組情報）を取得する。受信装置１は、テレビ受信機４が、第２放送信号を表示可能である場合に、取得した番組表を統合した統合番組情報としての統合番組表を生成し、当該統合番組表をテレビ受信機４に表示させる。
【００２１】
テレビ受信機４は、ＨＤＭＩケーブルＨＣを介して受信装置１に接続されており、受信装置１から出力された映像信号及び音声信号に基づいて、映像及び音声を出力する。また、テレビ受信機４は、同軸ケーブルＣＣを介して分波器３に接続されており、分波器３から出力された第２放送信号に対応する映像及び音声を出力する。
【００２２】
リモコン２は、受信装置１とＢｌｕｅｔｏｏｔｈ（登録商標）等の近距離無線通信によって無線通信を行うことにより、受信装置１に各種操作情報を送信する。また、リモコン２には、赤外線信号等の、テレビ受信機４が受信可能な信号を発信する発信部が設けられている。また、リモコン２には、テレビ受信機４から出力される映像及び音声を、受信装置１が受信する第１放送信号に対応する映像及び音声から、第２放送信号に対応する映像及び音声に切り替えるためのボタンが設けられている。リモコン２は、当該ボタンが操作されると、テレビ受信機４から出力される映像及び音声を第２放送信号に対応する映像及び音声に切り替えるための情報を発信部に発信させる。テレビ受信機４は、リモコン２から発信された情報を受信すると、第２放送信号に対応する映像及び音声を出力する。
【００２３】
このようにすることで、受信システムＳでは、テレビ受信機４に設けられた、ＨＤＭＩ−ＣＥＣに対するメーカー独自の拡張機能を用いずに、受信装置１では対応していない放送をテレビ受信機４に表示させることができる。また、ユーザは、リモコン２のみを操作することで、第１放送信号に対応する映像及び音声、又は第２放送信号に対応する映像及び音声をテレビ受信機４に出力させることができる。さらに、受信システムＳでは、テレビ受信機４への制御と、受信装置１への制御とを、リモコン２が適切に出し分けることにより、ユーザは受信装置１とテレビ受信機４のどちらを操作するかを意識することなく、あたかも１つの装置を利用しているかのような操作感で利用できる。
【００２４】
また、受信装置１は、統合番組表がテレビ受信機４に表示されている場合に、リモコン２から、統合番組表に含まれている番組を選択する操作を示す操作情報を受信する。受信装置１は、選択された番組が第１放送信号に対応している場合には、第１放送信号に基づいて選択された番組をテレビ受信機４に表示させる。受信装置１は、選択された番組が第２放送信号に対応している場合には、当該番組をテレビ受信機４に表示させるための指示情報をリモコン２に送信する。リモコン２は、発信部に受信装置１から受信した指示情報を発信させる。テレビ受信機４は、リモコン２から発信された指示情報を受信すると、選択された番組を表示させる。このようにすることで、受信システムＳでは、番組の放送種別にかかわらず、統合番組表から選択された番組をテレビ受信機４に表示させることができる。
以下、受信装置１及びリモコン２の構成について説明する。
【００２５】
［受信装置１の構成例］
まず、受信装置１の構成について説明する。図２は、第１実施形態に係る受信装置１の構成を示す図である。受信装置１は、操作部１１と、通信部１２と、第２通信部としての無線通信部１３と、記憶部１４と、制御部１５とを備える。
【００２６】
操作部１１は、例えば、操作ボタンであり、ユーザの操作を受け付ける。
通信部１２は、同軸ケーブルＣＣを介して、分波器３によって分波された第１放送信号を受信する。また、通信部１２は、制御部１５の制御により、ＨＤＭＩケーブルを介してテレビ受信機４と通信を行う。また、通信部１２は、ＬＡＮやインターネット等の通信ネットワークを介して、外部機器と通信を行う。
無線通信部１３は、Ｂｌｕｅｔｏｏｔｈ等の近距離無線通信により、リモコン２と無線通信を行う。
【００２７】
記憶部１４は、例えば、ＲＯＭ、ＲＡＭ及びハードディスク等により構成される。記憶部１４は、番組表や、リモコン２の設定情報や、テレビ受信機４に関する情報等を記憶する。また、記憶部１４は、受信装置１を機能させるための各種プログラムを記憶する。記憶部１４は、受信装置１の制御部１５を、取得部１５１、生成部１５２、選択部１５３、表示制御部１５４、特定部１５５、及び第２送信制御部１５６として機能させるための受信装置用プログラムを記憶する。
【００２８】
制御部１５は、例えばＣＰＵである。制御部１５は、記憶部１４に記憶されている各種プログラムを実行することにより、受信装置１に係る機能を制御する。制御部１５は、受信装置用プログラムを実行することにより、取得部１５１、生成部１５２、選択部１５３、表示制御部１５４、特定部１５５、及び第２送信制御部１５６として機能する。これらの機能の詳細については後述する。
【００２９】
［リモコン２の構成例］
続いて、リモコン２の構成について説明する。図３は、第１実施形態に係るリモコン２の構成を示す図である。リモコン２は、操作部２１と、第１通信部としての無線通信部２２と、発信部２３と、記憶部２４と、制御部２５とを備える。
【００３０】
操作部２１は、例えば、操作ボタンであり、ユーザから操作を受け付ける。図４は、第１実施形態に係る操作部２１の詳細な構成を示す図である。図４に示すように、操作部２１には、第１操作部としての４Ｋボタン２１１と、第２操作部としての共用ボタン２１２及びＳＴＢ専用ボタン２１３とが設けられている。
【００３１】
第２操作部として機能するボタンのうち、共用ボタン２１２は、例えば、音量調整ボタン、選局ボタン、上下左右ボタン、決定ボタン、番組表ボタン等である。共用ボタン２１２は、テレビ受信機４及び受信装置１のいずれかの操作を受け付ける第３操作部として機能する。ＳＴＢ専用ボタン２１３は、例えば、電源ボタン、ホームボタン、ＣＳ放送選択ボタンである。ＳＴＢ専用ボタン２１３は、受信装置１の操作を受け付ける第４操作部として機能する。
【００３２】
無線通信部２２は、Ｂｌｕｅｔｏｏｔｈ等の近距離無線通信により、受信装置１と無線通信を行う。
発信部２３は、例えば、テレビ受信機４が受信可能な赤外線信号を発信する。ここで、発信部２３は、テレビ受信機４が受信可能な形式で情報を発信する。
【００３３】
記憶部２４は、例えば、ＲＯＭ、ＲＡＭ等により構成される。記憶部２４は、受信装置１から受信したリモコン２の設定情報等を記憶する。また、記憶部２４は、リモコン２を機能させるための各種プログラムを記憶する。
制御部２５は、例えばＣＰＵである。制御部２５は、第１送信制御部２５１を備える。第１送信制御部２５１の機能の詳細については後述する。
【００３４】
［初期設定に係る処理の流れ］
続いて、受信システムＳにおける処理の流れについて説明する。まず、受信システムＳにおける初期設定に係る処理について説明する。図５は、第１実施形態に係る受信システムＳにおける初期設定に係る処理の流れを示すシーケンス図である。
【００３５】
まず、受信装置１とリモコン２とが近距離無線通信のペアリングを行う（Ｓ１０）。例えば、受信装置１の操作部１１と、リモコン２の操作部２１とのそれぞれが初期設定に係る所定操作を受け付けると、操作部１１の無線通信部１３と、リモコン２の無線通信部２２とが近距離無線通信を行うことによりペアリングを行う。
【００３６】
続いて、受信装置１の取得部１５１は、ＨＤＭＩケーブルＨＣ及び通信部１２を介して、テレビ受信機４から、テレビ受信機４に関する情報を取得する（Ｓ２０）。具体的には、取得部１５１は、ＨＤＭＩ−ＣＥＣを用いて、テレビ受信機４から、テレビ受信機４に関する情報として、テレビ受信機４のメーカー、型番、解像度、及びテレビ受信機４が対応可能なＨＤＣＰ（High-Bandwidth Digital Content Protection）のバージョンを示す情報を取得する。
【００３７】
続いて、第２送信制御部１５６は、取得されたテレビ受信機４に関する情報に基づいて、受信装置１が受信しない第２放送信号をテレビ受信機４が受信可能か否かを示すテレビ受信機情報を生成する（Ｓ３０）。例えば、第２送信制御部１５６は、テレビ受信機４のメーカーと、型番と、テレビ受信機４が第２放送信号を表示可能か否かを示す情報とを関連付けた対応情報を外部サーバ（不図示）から取得する。そして、第２送信制御部１５６は、当該対応情報と、テレビ受信機４に関する情報に含まれるメーカー及び型番とに基づいて、テレビ受信機４が第２放送信号を受信可能かつ表示可能か否かを判定する。第２送信制御部１５６は、当該判定結果に基づいて、テレビ受信機情報を生成する。
【００３８】
なお、第２送信制御部１５６は、テレビ受信機４に関する情報に含まれる解像度と、ＨＤＣＰのバージョンとに基づいて、テレビ受信機４が第２放送信号を受信可能かつ表示可能か否かを判定し、当該判定結果に基づいて、テレビ受信機情報を生成してもよい。
【００３９】
続いて、第２送信制御部１５６は、取得されたテレビ受信機４に関する情報に基づいて、テレビ受信機４が受信可能な情報の形式を特定する（Ｓ４０）。例えば、第２送信制御部１５６は、テレビ受信機４のメーカーと、型番と、リモコン２の赤外線信号が示す情報の形式とを関連付けた受信機別形式情報を外部サーバから取得する。第２送信制御部１５６は、当該受信機別形式情報を参照し、テレビ受信機４に関する情報に含まれるテレビ受信機４のメーカーと型番とに関連する情報の形式を特定する。第２送信制御部１５６は、特定した情報の形式を示す形式情報を記憶部１４に記憶させる。
【００４０】
続いて、第２送信制御部１５６は、無線通信部１３により、生成したテレビ受信機情報と、特定した情報の形式を示す形式情報とをリモコン２に送信する（Ｓ５０）。
リモコン２の制御部２５は、無線通信部２２が、受信装置１からテレビ受信機情報と、形式情報とを受信すると、これらの情報を設定情報として記憶部２４に記憶させる（Ｓ６０）。Ｓ６０に係る処理が終了すると、初期設定処理が終了する。
【００４１】
なお、テレビ受信機４は、多種多様なメーカーから販売されているテレビ受信機を想定しており、共用ボタン２１２として利用可能なキーは、テレビ受信機４の種別によって異なる。このため、リモコン２では、テレビ受信機４の種別に応じて、必要な共用ボタンを割り当てるようにしてもよい。例えば、受信機別形式情報に、リモコン２において共用ボタン２１２として用いられるボタンを識別するボタン識別情報（操作設定情報）を関連付けておく。そして、第２送信制御部１５６は、取得した受信機別形式情報に含まれているボタン識別情報に基づいて、リモコン２の共用ボタン２１２を設定してもよい。そして、第１送信制御部２５１は、ボタン識別情報に基づいて共用ボタン２１２を特定するようにしてもよい。このようにすることで、テレビ受信機４の機種ごとに適したボタンを共用ボタン２１２にすることができる。
【００４２】
［ＳＴＢ操作モードである場合の処理の流れ］
続いて、受信システムＳにおいてリモコン２が操作された場合の処理について説明する。リモコン２は、操作モードとして、受信装置１を操作するモードであるＳＴＢ操作モードと、テレビ受信機４を操作するモードであるテレビ操作モードとを有している。まず、リモコン２の操作モードがＳＴＢ操作モードである場合の処理について説明する。
【００４３】
第１送信制御部２５１は、リモコン２の操作モードがＳＴＢ操作モードである場合に、操作部２１により、第２放送信号に対応する放送を選択する操作とは異なる操作、すなわち、共用ボタン２１２又はＳＴＢ専用ボタン２１３の操作（第２操作）を受け付けると、無線通信部２２に、操作されたボタンに対応する操作情報（第２操作を示す第２操作情報）を送信させる。
【００４４】
受信装置１の表示制御部１５４は、無線通信部１３が第２操作情報を受信すると、第２操作に対応する画面を表示させる。例えば、第２操作がチャンネルを選択する操作である場合、表示制御部１５４は、通信部１２が受信する第１放送信号から、選択されたチャンネルに対応する放送信号を抽出し、当該放送信号に基づいて映像信号及び音声信号を抽出する。表示制御部１５４は、抽出した映像信号及び音声信号を、通信部１２及びＨＤＭＩケーブルＨＣを介してテレビ受信機４に出力することにより、当該映像信号及び音声信号に対応する映像及び音声をテレビ受信機４に表示させる。
【００４５】
また、表示制御部１５４は、第２操作が番組表ボタンの操作である場合、第１放送信号に対応する放送の番組表である第１番組表と、第２放送信号に対応する放送の番組表である第２番組表とを統合した統合番組表をテレビ受信機４に表示させる。番組表の表示制御に関する詳細については後述する。
【００４６】
第１送信制御部２５１は、操作部２１により、第２放送信号に対応する放送を選択する操作、すなわち、４Ｋボタン２１１の操作（第１操作）を受け付けると、発信部２３に、４Ｋボタン２１１が操作されたことを示す第１操作情報を発信させる。ここで、第１送信制御部２５１は、記憶部２４に記憶されている形式情報に基づいて、テレビ受信機４が受信可能な形式の第１操作情報を特定し、当該第１操作情報を発信部２３に発信させる。
【００４７】
図６は、第１実施形態に係る４Ｋボタン２１１が操作された場合のリモコン２の処理の流れを示すフローチャートである。
まず、第１送信制御部２５１は、４Ｋボタン２１１が操作されると、テレビ受信機４が第２放送信号に対応しているか否かを判定する（Ｓ１１０）。具体的には、第１送信制御部２５１は、４Ｋボタン２１１が操作されると、記憶部２４に記憶されているテレビ受信機情報を参照し、テレビ受信機４が第２放送信号を受信可能か否かを判定する。第１送信制御部２５１は、テレビ受信機４が第２放送信号を受信可能と判定すると、Ｓ１２０に処理を移し、発信部２３に第１操作情報を発信させる。
【００４８】
第１操作情報には、例えば、テレビ受信機４の入力切替を指示する情報と、４Ｋ放送に対応する１つのチャンネルを選択、又は最後に表示していた４Ｋ放送のチャンネル（ラストチャンネル）を表示するチャンネル選択情報とが含まれている。テレビ受信機４は、第１操作情報を受信すると、表示する画面を、テレビ受信機４が受信する放送信号に基づく映像を出力する画面に切り替えるとともに、選択された４Ｋ放送のチャンネルに対応する映像及び音声を出力する。
続いて、第１送信制御部２５１は、リモコン２の操作モードをＳＴＢ操作モードからテレビ操作モードに切り替える（Ｓ１３０）。
【００４９】
また、第１送信制御部２５１は、Ｓ１１０において、テレビ受信機４が第２放送信号を受信しないと判定すると、Ｓ１４０に処理を移し、無線通信部２２により、テレビ受信機４が当該放送信号を受信しないことを示すエラー情報を受信装置１に送信させる。受信装置１の表示制御部１５４は、無線通信部１３がエラー情報を受信すると、テレビ受信機４が４Ｋ放送に対応していない旨を示す情報をテレビ受信機４に表示させる。このようにすることで、ユーザは、テレビ受信機４が４Ｋ放送に対応していないことを把握することができる。
【００５０】
［テレビ操作モードである場合の処理の流れ］
続いて、リモコン２の操作モードがテレビ操作モードである場合の処理について説明する。第１送信制御部２５１は、発信部２３に第１操作情報を発信させ、リモコン２の操作モードをテレビ操作モードに切り替えた後に、操作部２１により、第２操作に対応する複数の操作のうち、一部の操作である第３操作を受け付けると、発信部２３に第３操作を示す第３操作情報を発信させ、第２操作に対応する複数の操作のうち、当該一部の操作とは異なる操作である第４操作を受け付けると、無線通信部２２に第４操作を示す第４操作情報を送信させる。
【００５１】
図７は、第１実施形態に係るリモコン２がテレビ操作モードで動作する場合の処理の流れを示すフローチャートである。
まず、第１送信制御部２５１は、ＳＴＢ専用ボタン２１３が操作されたか否かを判定する（Ｓ２１０）。第１送信制御部２５１は、ＳＴＢ専用ボタン２１３が操作されたと判定すると、Ｓ２２０に処理を移し、ＳＴＢ専用ボタン２１３が操作されていないと判定すると、Ｓ２４０に処理を移す。
【００５２】
Ｓ２２０において、第１送信制御部２５１は、第２操作に対応する複数の操作のうち、ＳＴＢ専用ボタン２１３の操作（第４操作）を受け付けると、無線通信部２２により、操作されたＳＴＢ専用ボタン２１３に対応する操作情報（第４操作情報）を受信装置１に送信する。受信装置１の表示制御部１５４は、無線通信部１３が第４操作情報を受信すると、テレビ受信機４に、操作されたＳＴＢ専用ボタン２１３に対応する画面を表示させる。
【００５３】
続いて、第１送信制御部２５１は、リモコン２の操作モードを、テレビ操作モードからＳＴＢ操作モードに切り替える（Ｓ２３０）。このように、リモコン２の操作モードが、テレビ操作モードからＳＴＢ操作モードに切り替わることから、第１送信制御部２５１は、無線通信部２２に第４操作情報を送信させた後に、第３操作としての共用ボタン２１２を受け付けると、無線通信部２２に第３操作情報を送信させる。よって、ユーザは、リモコン２によるテレビ受信機４の操作と、受信装置１の操作とを容易に切り替えることができる。
【００５４】
なお、第１送信制御部２５１は、ＳＴＢ専用ボタン２１３のうち、電源ボタンが押下されると、リモコン２の操作モードを、テレビ操作モードからＳＴＢ操作モードに切り替えた後、無線通信部２２により、電源ボタンが押下されたことを示す操作情報を受信装置１に送信する。
【００５５】
第１送信制御部２５１は、Ｓ２１０においてＳＴＢ専用ボタン２１３が操作されていないと判定すると、共用ボタン２１２が操作されたか否かを判定する（Ｓ２４０）。第１送信制御部２５１は、共用ボタン２１２が操作されたと判定すると、Ｓ２５０に処理を移し、共用ボタン２１２が操作されていないと判定すると、Ｓ２１０に処理を移す。
【００５６】
Ｓ２５０において、第１送信制御部２５１は、共用ボタン２１２に対応する操作情報（第３操作情報）を発信部２３に発信させる。ここで、第１送信制御部２５１は、記憶部２４に記憶されている形式情報に基づいて、テレビ受信機４が受信可能な形式の第３操作情報を特定し、当該第３操作情報を発信部２３に発信させる。テレビ受信機４は、第３操作情報を受信すると、第３操作情報に基づく映像及び音声を出力する。
【００５７】
［番組表の生成］
受信装置１は、第２放送信号に対応する番組の映像をテレビ受信機４が表示可能である場合に、統合番組表をテレビ受信機４に表示させるために、統合番組表を所定時間おきに生成する。以下に、番組表の生成に係る受信装置１の機能についてフローチャートを参照しながら説明する。
【００５８】
図８は、第１実施形態に係る受信装置１における番組表の生成に係る処理の流れを示すフローチャートである。
まず、受信装置１の取得部１５１は、第１取得部として機能し、第１放送信号に対応する番組の番組情報である第１番組表を取得する（Ｓ３１０）。例えば、取得部１５１は、所定時間おきに第１放送信号に含まれている電子番組表情報（電子番組表：Electronic Program Guide）を第１番組表として取得する。取得部１５１は、取得した第１番組表を記憶部１４に記憶させる。取得部１５１は、第１番組表が記憶部１４に既に記憶されている場合には、記憶部１４に記憶されている第１番組表を、取得した第１番組表に更新する。
【００５９】
続いて、取得部１５１は、第２取得部として機能し、第２放送信号に対応する番組の番組情報である第２番組表を取得する（Ｓ３２０）。具体的には、取得部１５１は、通信部１２を介して、通信ネットワークＮに接続され、番組表を管理する番組表サーバ５から第２番組表を取得する。取得部１５１は、取得した第２番組表を記憶部１４に記憶させる。取得部１５１は、第２番組表が記憶部１４に既に記憶されている場合には、記憶部１４に記憶されている第２番組表を、取得した第２番組表に更新する。
【００６０】
続いて、生成部１５２は、テレビ受信機４が第２放送信号を受信可能かつ表示可能か否かを示すテレビ受信機情報に基づいて、第２放送信号に対応する番組をテレビ受信機４が表示可能か否かを判定する（Ｓ３３０）。生成部１５２は、第２放送信号に対応する番組をテレビ受信機４が表示可能と判定すると、Ｓ３４０に処理を移し、統合番組表を生成する。
【００６１】
続いて、生成部１５２は、生成した統合番組表を記憶部１４に記憶させる（Ｓ３５０）。生成部１５２は、統合番組表が記憶部１４に既に記憶されている場合には、記憶部１４に記憶されている統合番組表を、取得した統合番組表に更新する。
【００６２】
なお、取得部１５１は、テレビ受信機４から、テレビ受信機４のユーザの契約情報を取得したり、通信ネットワークＮに接続され、受信装置１のユーザの放送信号の受信に関する契約情報を管理する契約管理装置（不図示）から、テレビ受信機４のユーザの契約情報を取得したりしてもよい。そして、生成部１５２は、取得された契約情報に基づいて、第２放送信号に対応する番組をテレビ受信機４が表示可能と判定すると、統合番組表を生成してもよい。また、生成部１５２は、取得された契約情報に基づいて、ユーザが視聴可能な番組を特定し、第１番組表及び第２番組表に含まれる番組の情報のうち、ユーザが視聴可能な番組に対応する番組の情報を統合して統合番組表を生成してもよい。
【００６３】
このようにすることで、受信装置１は、ユーザが視聴することができない番組に対応する番組表をテレビ受信機４に表示させないようにすることができる。これにより、ユーザは、番組表において自身が視聴できない番組の情報を見ることなく番組を選択することができる。
【００６４】
また、受信装置１の記憶部１４は、ユーザとケーブルテレビ事業者との契約情報を記憶してもよい。当該契約情報には、受信装置１が設置されている地域を示す地域情報や、チャンネルの割当に関する情報が含まれている。取得部１５１は、番組表サーバ５に契約情報を送信し、番組表サーバ５から、当該契約情報に基づく統合番組表を取得してもよい。
【００６５】
この場合、取得部１５１は、記憶部１４に記憶されている契約情報と、テレビ受信機４の型番とを含み、番組表の取得を要求する取得要求情報を、番組表サーバ５に送信する。番組表サーバ５は、地域情報と、型番と、統合番組表とを関連付けて記憶している。番組表サーバ５は、取得要求情報を受信すると、当該情報に含まれている契約情報と、型番とに関連付けられている統合番組表を特定する。番組表サーバ５は、特定した統合番組表を受信装置１に送信する。受信装置１の取得部１５１は、番組表サーバ５から統合番組表を受信する。
【００６６】
また、生成部１５２は、第２番組表に対応する番組に、第１番組表に対応する番組と同じ番組であって同じ時間に放送される番組が含まれている場合には、当該番組の情報が重複しないように統合番組表を生成してもよい。例えば、生成部１５２は、第１番組表に含まれている番組の情報としての番組名や番組説明情報と、第２番組表に含まれている番組名や番組説明情報とに基づいて、同一の番組を特定する。そして、生成部１５２は、複数の同一の番組のいずれかが含まれる統合番組表を生成する。このようにすることで、受信装置１は、統合番組表において同じ時間に放送される同じ番組が重複表示されることを防止することができる。
【００６７】
ここで、生成部１５２は、同一の番組を特定した場合には、第１番組表に含まれている当該同一の番組に対応する番組の情報が含まれないように統合番組表を生成してもよい。第２放送信号に対応する映像は、第１放送信号の映像に比べて高画質であることから、同一の番組が放送される場合には、ユーザは、高画質の映像で番組を視聴することができる。
【００６８】
［番組表の表示］
受信装置１は、ＳＴＢ操作モードにおいて番組表ボタンが操作されると、番組表をテレビ受信機４に表示させる。
具体的には、表示制御部１５４は、ＳＴＢ操作モードで動作している場合において、リモコン２の番組表ボタンが操作されると、記憶部１４に統合番組表が記憶されているか否かを判定する。
【００６９】
表示制御部１５４は、記憶部１４に統合番組表が記憶されていると判定すると、当該統合番組表をテレビ受信機４に表示させる。また、表示制御部１５４は、記憶部１４に統合番組表が記憶されていないと判定すると、記憶部１４に記憶されている第１番組表をテレビ受信機４に表示させる。
このようにすることで、受信装置１は、第２放送信号に対応する番組をテレビ受信機４が表示することができる場合にのみ統合番組表を表示させることができる。
【００７０】
［番組表の操作］
続いて、受信システムＳにおける統合番組表の操作に係る処理について説明する。ユーザは、リモコン２を介して統合番組表を操作することができる。以下に、統合番組表の操作に係る受信装置１及びリモコン２に係る処理について説明する。
【００７１】
図９は、第１実施形態に係る受信装置１及びリモコン２における統合番組表の操作に係る処理の流れを示すシーケンス図である。
まず、リモコン２の第１送信制御部２５１は、ユーザから操作を受け付けると、操作情報を受信装置１に送信する（Ｓ４１０）。受信装置１の無線通信部１３は、操作情報を受信する。
【００７２】
選択部１５３は、無線通信部１３がリモコン２から受信する操作情報に基づいて、統合番組表に含まれている、第１放送信号に対応する番組、及び第２放送信号に対応する番組のいずれかを表示対象の番組として選択する（Ｓ４２０）。
【００７３】
表示制御部１５４は、選択された番組が、第１放送信号に対応する番組か否かを判定する（Ｓ４３０）。表示制御部１５４は、第１放送信号に対応する番組であると判定すると、Ｓ４４０に処理を移し、テレビ受信機４に、第１放送信号に対応する番組の映像を表示させる。例えば、表示制御部１５４は、選択された番組が、第１放送信号に対応する番組であり、現在放送されている番組である場合、当該番組が放送されているチャンネルを特定し、テレビ受信機４に、当該チャンネルに対応する映像を表示させる。また、表示制御部１５４は、選択された番組が、第１放送信号に対応する番組であり、現在放送されていない番組である場合、テレビ受信機４に、当該番組の詳細情報を表示させる。
【００７４】
選択された番組が第１放送信号に対応する番組ではないと表示制御部１５４が判定すると、選択された番組は、第２放送信号に対応する番組となる。特定部１５５は、選択された番組が第２放送信号に対応する番組である場合に、テレビ受信機４に当該番組に対応する映像を表示させるための指示情報を特定する（Ｓ４５０）。例えば、特定部１５５は、選択された番組が第２放送信号に対応する番組であり、現在放送されている番組である場合、当該番組に対応するチャンネルを識別するチャンネル識別情報を特定する。そして、特定部１５５は、指示情報として、テレビ受信機４が表示されている映像を、特定されたチャンネルに切り替えるための情報を生成する。
【００７５】
具体的には、特定部１５５は、特定されたチャンネル識別情報と、初期設定において機器識別情報に基づいて特定されたリモコン２の赤外線信号が示す情報の形式とに基づいて指示情報を特定する。指示情報には、例えば、テレビ受信機４の入力切替を指示する情報と、４Ｋ放送に対応する１つのチャンネルを選択するチャンネル選択情報とが含まれている。
【００７６】
なお、特定部１５５は、チャンネル識別情報と、機器識別情報と、指示情報とを関連付けて記憶する外部サーバに、特定されたチャンネル識別情報と、初期設定において取得された機器識別情報とを送信し、当該外部サーバから、当該チャンネル識別情報と、当該機器識別情報とに関連付けられている指示情報を受信することにより、指示情報を特定してもよい。このようにすることで、受信装置１は、指示情報を記憶していない場合であっても指示情報を特定することができる。
【００７７】
第２送信制御部１５６は、無線通信部１３により、特定された指示情報をリモコン２に送信する（Ｓ４６０）。
リモコン２の第１送信制御部２５１は、操作情報の送信後に、無線通信部２２が指示情報を受信すると、発信部２３に当該指示情報を発信させる（Ｓ４７０）。テレビ受信機４は、指示情報を受信すると、当該指示情報に基づいて、表示する画面を、テレビ受信機４が受信する放送信号に基づく映像を出力する画面に切り替えるとともに、選択された４Ｋ放送のチャンネルに対応する映像及び音声を出力する。
【００７８】
ここで、受信装置１の取得部１５１は、第３取得部として機能し、無線通信部１３が指示情報を送信した後に、テレビ受信機４から、テレビ受信機４に表示されている画面の状態を示す情報を取得してもよい。そして、第２送信制御部１５６が、画面の状態が、受信装置１によって画面が表示されている状態である第１状態を示している場合に、無線通信部１３に、指示情報を再送させるようにしてもよい。このようにすることで、受信装置１は、リモコン２から発信された指示情報をテレビ受信機４が受信できなかった場合に、リモコン２に当該指示情報を再発信させることができる。
【００７９】
また、表示制御部１５４は、第２送信制御部１５６が指示情報を送信した後に、画面の状態が第１状態を示している場合に、テレビ受信機４が指示情報を受信していない旨を示す情報をテレビ受信機４に表示させるようにしてもよい。また、表示制御部１５４は、指示情報が再送された後に、画面の状態が第１状態を示している場合に、テレビ受信機４が指示情報を受信していない旨を示す情報をテレビ受信機４に表示させるようにしてもよい。このようにすることで、受信装置１は、リモコン２から発信された指示情報をテレビ受信機４が受信できず、テレビ受信機４の表示が切り替わっていないことを、ユーザに通知することができる。
【００８０】
［第１実施形態における効果］
以上のとおり、第１実施形態に係る受信システムＳにおいて、受信装置１は、受信装置１が受信する第１放送信号に対応する第１番組表を取得するとともに、受信装置１が受信しない第２放送信号に対応する第２番組表を取得し、第２放送信号に対応する番組をテレビ受信機４が表示可能である場合に、取得された第１番組表と、第２番組表とを統合した統合番組表を生成し、生成された統合番組表をテレビ受信機４に表示させる。
【００８１】
このようにすることで、受信装置１は、テレビ受信機４における番組の視聴可能状況に対応した番組情報を表示することができる。また、受信装置１は、第２放送信号に対応する番組をテレビ受信機４が表示可能である場合に、統合番組表をテレビ受信機４に表示させる。これにより、ユーザは、第１放送信号に対応する番組の情報と、受信装置１が受信しない第２放送信号に対応する番組の情報とを統合番組表によって一度に確認することができる。
【００８２】
また、受信装置１は、統合番組表をテレビ受信機４に表示させ、無線通信部１３が受信した操作情報が第１放送信号に対応する番組に対応している場合に、テレビ受信機４に第１放送信号に対応する番組に対応する映像を表示させ、無線通信部１３が受信した操作情報が第２放送信号に対応する番組に対応している場合に、テレビ受信機４が第２放送信号に対応する番組に対応する映像を表示させるための指示情報を無線通信部１３に送信させる。そして、リモコン２は、操作情報の送信後に、指示情報を受信すると、指示情報を発信する。このようにすることで、受信装置１は、番組の放送種別にかかわらず、統合番組表から選択された番組をテレビ受信機４に表示させることができる。
【００８３】
＜第２実施形態＞
［４Ｋ放送を受信可能な第２受信装置をリモコン２によって操作可能とする］
続いて、第２実施形態について説明する。第１実施形態において、テレビ受信機４が第２放送信号を受信可能であるものとして説明したが、テレビ受信機４が第２放送信号を受信できない機種である場合もある。テレビ受信機４が第２放送信号に対応する映像及び音声を出力するには、第２放送信号を受信可能な第２受信装置をテレビ受信機４に接続する必要がある。
【００８４】
しかしながら、第２受信装置を用いて第２放送信号に対応する映像及び音声をテレビ受信機４に出力させる場合には、第２受信装置のリモコンを操作する必要がある。このため、ユーザは、第１放送信号に対応する放送を視聴する場合には受信装置１のリモコン２を操作し、第２放送信号に対応する放送を視聴する場合には第２受信装置のリモコンを操作することとなり、視聴操作が煩雑になってしまう。第２実施形態では、リモコン２が、第２受信装置を操作可能とする点で第１実施形態と異なる。以下に、第２実施形態に係る受信システムＳについて説明する。なお、本実施形態において、第２受信装置は、テレビ受信機４と同様に赤外線信号を受信可能であるものとする。また、発信部２３は、第２受信装置が受信可能な形式で情報を発信可能であるものとする。
【００８５】
［初期設定に係る処理の流れ］
図１０は、本実施形態に係る受信システムＳにおける初期設定に係る処理の流れを示すシーケンス図である。
まず、受信装置１とリモコン２とが近距離無線通信のペアリングを行う（Ｓ５１０）。Ｓ５１０に係る処理は、第１実施形態におけるＳ１０に係る処理と同じであるので説明を省略する。
【００８６】
続いて、受信装置１の取得部１５１は、ＨＤＭＩケーブルＨＣ及び通信部１２を介して、テレビ受信機４から、テレビ受信機４に関する情報を取得するとともに、第２受信装置に関する情報を取得する（Ｓ５２０、Ｓ５２１）。具体的には、取得部１５１は、ＨＤＭＩ−ＣＥＣを用いて、テレビ受信機４から、テレビ受信機４に関する情報として、テレビ受信機４のメーカー、型番、解像度、及びテレビ受信機４が対応可能なＨＤＣＰのバージョンを示す情報を取得する。また、取得部１５１は、ＨＤＭＩ−ＣＥＣを用いて、テレビ受信機４から、第２受信装置に関する情報として、テレビ受信機４に接続されている外部機器の識別情報を取得する。
【００８７】
続いて、第２送信制御部１５６は、取得されたテレビ受信機４に関する情報と、第２受信装置に関する情報とに基づいて、受信装置１が受信しない第２放送信号に対応する映像及び音声をテレビ受信機４が出力可能か否かを示すテレビ受信機情報を生成する（Ｓ５３０）。
【００８８】
例えば、第２送信制御部１５６は、テレビ受信機４に関する情報に含まれる解像度と、ＨＤＣＰのバージョンとに基づいて、テレビ受信機４が第２放送信号に対応する映像及び音声を出力可能か否かを判定する。また、第２送信制御部１５６は、テレビ受信機４又は第２受信装置のメーカーと、型番と、リモコン２の赤外線信号が示す情報の形式とを関連付けた受信機別形式情報を外部サーバから取得し、当該受信機別形式情報と、テレビ受信機４に接続されている外部機器の識別情報とに基づいて、テレビ受信機４に第２受信装置が接続されているか否かを判定する。第２送信制御部１５６は、当該判定結果に基づいて、テレビ受信機情報を生成する。
【００８９】
続いて、第２送信制御部１５６は、取得されたテレビ受信機４に関する情報に基づいて、テレビ受信機４又は第２受信装置が受信可能な情報の形式を特定する（Ｓ５４０）。例えば、第２送信制御部１５６は、Ｓ５３０において取得した受信機別形式情報を参照し、テレビ受信機４又は第２受信装置に対応する情報の形式を特定する。
【００９０】
Ｓ５５０及びＳ５６０に係る処理は、第１実施形態に係るＳ５０及びＳ６０に係る処理と同じであるので、説明を省略する。
【００９１】
［番組表の生成・表示］
続いて、受信装置１における番組表の生成及び番組表の表示に係る処理について説明する。
生成部１５２は、第２放送信号に対応する番組の映像をテレビ受信機４又は第２受信装置が表示可能である場合に、統合番組表をテレビ受信機４に表示させるために、統合番組表を所定時間おきに生成する。
【００９２】
表示制御部１５４は、第２放送信号に対応する番組の映像をテレビ受信機４又は第２受信装置が表示可能である場合にＳＴＢ操作モードにおいて番組表ボタンが操作されると、統合番組表をテレビ受信機４に表示させる。
【００９３】
［番組表の操作］
続いて、受信装置１及びリモコン２における番組表の操作に係る処理について説明する。
選択部１５３は、無線通信部１３がリモコン２から受信する操作情報に基づいて、統合番組表に含まれている、第１放送信号に対応する番組、及び第２放送信号に対応する番組のいずれかを表示対象の番組として選択する。
【００９４】
特定部１５５は、選択された番組が第２放送信号に対応する番組である場合に、テレビ受信機４に当該番組に対応する映像を表示させるための指示情報を特定する。例えば、特定部１５５は、選択された番組が第２放送信号に対応する番組であり、現在放送されている番組である場合、当該番組に対応するチャンネルを識別するチャンネル識別情報を特定する。特定部１５５は、特定されたチャンネル識別情報と、初期設定において機器識別情報に基づいて特定されたリモコン２の赤外線信号が示す情報の形式とに基づいて指示情報を特定する。指示情報には、例えば、テレビ受信機４の入力切替を指示する情報と、４Ｋ放送に対応する１つのチャンネルを選択するチャンネル選択情報とが含まれている。
第２送信制御部１５６は、特定された指示情報を無線通信部１３に送信させることにより、当該指示情報をリモコン２に送信する。
【００９５】
リモコン２の第１送信制御部２５１は、操作情報の送信後に、無線通信部２２が指示情報を受信すると、発信部２３に当該指示情報を発信させる。テレビ受信機４及び第２受信装置が指示情報を受信したとすると、テレビ受信機４は、当該指示情報に基づいて、表示する画面を、テレビ受信機４が受信する放送信号に基づく映像を出力する画面に切り替える。また、第２受信装置は、当該指示情報に基づいて、テレビ受信機４が表示する画面を、選択された４Ｋ放送のチャンネルに対応する映像に切り替える。
【００９６】
［第２実施形態における効果］
以上のとおり、第２実施形態に係る受信システムＳでは、テレビ受信機４に第２受信装置が接続されている場合、初期設定処理が完了すると、リモコン２によって第２受信装置を操作することが可能になる。そして、受信装置１は、統合番組表において第２放送信号に対応する番組が選択されると、テレビ受信機４に当該番組に対応する映像を表示させるための指示情報をリモコン２を介してテレビ受信機４及び第２受信装置に送信し、テレビ受信機４における表示を、選択された番組の映像に切り替えさせる。これにより、受信装置１は、第１実施形態と同様に、番組の放送種別にかかわらず、統合番組表から選択された番組をテレビ受信機４に表示させることができる。
【００９７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、リモコン２が、第１操作情報を発信部２３に発信させることで、テレビ受信機４に第１操作情報を送信したが、これに限らない。例えば、テレビ受信機４及びリモコン２がＬＡＮ等の通信ネットワークを介して通信可能である場合に、リモコン２は、当該通信ネットワークを介して第１操作情報をテレビ受信機４に送信してもよい。また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９８】
１・・・受信装置、１１・・・操作部、１２・・・通信部、１３・・・無線通信部、１４・・・記憶部、１５・・・制御部、１５１・・・取得部、１５２・・・生成部、１５３・・・選択部、１５４・・・表示制御部、１５５・・・特定部、１５６・・・第２送信制御部、２・・・リモコン、２１・・・操作部、２１１・・・４Ｋボタン、２１２・・・共用ボタン、２１３・・・ＳＴＢ専用ボタン、２２・・・無線通信部、２３・・・発信部、２４・・・記憶部、２５・・・制御部、２５１・・・第１送信制御部、３・・・分波器、４・・・テレビ受信機、５・・・番組表サーバ、Ｓ・・・受信システム
【図１】
2018093260.tif 000003
【図２】
2018093260.tif 000004
【図３】
2018093260.tif 000005
【図４】
2018093260.tif 000006
【図５】
2018093260.tif 000007
【図６】
2018093260.tif 000008
【図７】
2018093260.tif 000009
【図８】
2018093260.tif 000010
【図９】
2018093260.tif 000011
【図１０】
2018093260.tif 000012